(57)【要約】【課題】簡単な構造で錠剤を１錠ずつ確実に排出することができ、しかも収容される錠剤への負荷を抑えることができる。【解決手段】有底筒状をなし、容器軸Ｏに沿って複数の錠剤１０を配列させて収容する容器本体２と、容器本体２に容器軸Ｏに沿って移動可能に、且つ容器本体２の開口部２ａを開閉可能に装着され、錠剤１０を排出する排出口３１が形成された排出キャップ３と、容器本体２の底部２ｂから開口部３１に向けて立設されるとともに、複数の錠剤１０の孔部１０ａに挿通される支柱４と、を備え、排出キャップ３によって容器本体２の開口部２ａを開けた状態で、容器本体２の開口部２ａとの間に１錠分の錠剤１０の大きさの排出空間Ｒが形成され、排出空間Ｒに面して排出口３１が位置している構成の錠剤容器１を提供する。【選択図】図３
2014210590.tif 000002
【特許請求の範囲】
【請求項１】
トローチ形状の孔開きの錠剤を収容し、使用に際して１錠ずつ排出可能とした錠剤容器であって、
有底筒状をなし、容器軸に沿って前記複数の錠剤を配列させて収容する容器本体と、
該容器本体に前記容器軸に沿って移動可能に、且つ前記容器本体の開口部を開閉可能に装着され、前記錠剤を排出する排出口が形成された排出キャップと、
前記容器本体の底部から前記開口部に向けて立設されるとともに、複数の前記錠剤の孔部に挿通される支柱と、
を備え、
前記排出キャップによって前記容器本体の開口部を開けた状態で、前記容器本体の開口部との間に１錠分の錠剤の大きさの排出空間が形成され、該排出空間に面して前記排出口が位置していることを特徴とする錠剤容器。
【請求項２】
前記支柱の前記開口部側の先端部は、柔軟樹脂からなり、前記排出空間内に突出していることを特徴とする請求項１に記載の錠剤容器。
【請求項３】
前記支柱は、外周面に凹凸が形成されていることを特徴とする請求項１又は２に記載の錠剤容器。
【請求項４】
前記容器本体には、前記排出キャップによって前記容器本体の開口部を開けた状態で、前記排出空間を挟んで前記排出口と対向する位置に、前記排出空間内に進入した錠剤を前記排出口から押し出す押出し杆が設けられていることを特徴とする請求項１乃至３のいずれか１項に記載の錠剤容器。
【請求項５】
前記押出し杆は、一端が前記容器本体の底部に固定された連結片の他端に設けられ、前記一端を支点として振り子状に揺動することを特徴とする請求項４に記載の錠剤容器。
【請求項６】
前記排出キャップには、前記押出し杆の押出し方向と反対側の側壁部分に、該押出し杵を前記押出し方向に向けて押し込むための開口穴が設けられていることを特徴とする請求項４又は５に記載の錠剤容器。
【発明の詳細な説明】
【技術分野】
【０００１】
本発明は、トローチ形状の孔開きの錠剤を収容し、使用に際して排出可能とした錠剤容器に関する。
【背景技術】
【０００２】
この種の錠剤容器として、従来、例えば特許文献１、２に示すように、有底筒状をなし、容器軸に沿って複数の錠剤を配列させて収容する容器本体と、容器本体の開口部を開閉可能に装着され、錠剤を排出する排出口が形成された排出キャップと、容器本体の底部から開口部に向けて立設されるとともに、複数の錠剤の孔部に挿通される支柱と、を備えている。
【０００３】
特許文献１には、容器本体の開口部に配置される弾性係合片と、容器本体の底部に設けられて螺棒（支柱）に連結された回動部材と、螺棒に螺合してこの螺棒の軸方向に沿って摺動する錠剤受皿と、を有しており、錠剤の取り出し時に回動部材を回転させることで、受皿が螺棒の軸方向の容器本体の開口部側に向けて移動し、錠剤が弾性係合片を弾性変形させつつ容器本体の開口部から外側に押し出されることにより、錠剤を取り出すことが可能な容器について記載されている。
【０００４】
また、特許文献２には、容器本体に収容される錠剤を常に上側（容器本体の開口部側）へ押圧するためのバネが容器本体の底部に設けられており、錠剤取出し孔が設けられたキャップを引き上げることで、収容される錠剤の最上段の位置に前記錠剤取出し孔を移動させ、これにより最上段の錠剤を錠剤取出し孔から排出して取り出すことができ、この排出とともに容器本体内に収容される錠剤がバネの付勢により押し上げられる構成の容器について開示されている。
【先行技術文献】
【特許文献】
【０００５】
【特許文献１】実開昭５７−１０７７８１号公報
【特許文献２】実開昭５７−１０７７８２号公報
【発明の概要】
【発明が解決しようとする課題】
【０００６】
しかしながら、従来の錠剤容器では、以下のような問題があった。
すなわち、特許文献１に記載される錠剤容器では、回動部材の回転により錠剤を容器本体の開口部より外側に押し出すが、回動部材を必要以上に回転させると、２錠以上の錠剤が排出されてしまうことから、回動部材を慎重に回転させる必要があった。
【０００７】
また、特許文献２に開示される錠剤容器では、容器本体の底部に設けられたバネのバネ力により、収容される錠剤が常時上側に向けて押し付けられた状態となっている。そのため、錠剤に大きな負荷がかかって破損するおそれがあり、その点で改良の余地があった。しかも、特許文献２のようにバネを使用する容器の場合には、構造が複雑となるという問題もある。
【０００８】
本発明は、このような事情に鑑みてなされたものであって、簡単な構造で錠剤を１錠ずつ確実に排出することができ、しかも収容される錠剤に対する負荷を抑えることが可能な錠剤容器を提供することを目的とする。
【課題を解決するための手段】
【０００９】
上記目的を達成するため、本発明に係る錠剤容器では、トローチ形状の孔開きの錠剤を収容し、使用に際して１錠ずつ排出可能とした錠剤容器であって、有底筒状をなし、容器軸に沿って複数の錠剤を配列させて収容する容器本体と、容器本体に容器軸に沿って移動可能に、且つ容器本体の開口部を開閉可能に装着され、錠剤を排出する排出口が形成された排出キャップと、容器本体の底部から開口部に向けて立設されるとともに、複数の錠剤の孔部に挿通される支柱と、を備え、排出キャップによって容器本体の開口部を開けた状態で、容器本体の開口部との間に１錠分の錠剤の大きさの排出空間が形成され、排出空間に面して前記排出口が位置していることを特徴としている。
【００１０】
本発明では、錠剤を取り出す際に、排出キャップを開けると、排出キャップ内に容器本体の開口部との間に錠剤の排出空間が形成される。錠剤容器を前記排出空間が下向きになるように傾けることで容器本体内に収容されている１錠の錠剤が前記排出空間に進入することとなり、例えば錠剤容器を振り出すことにより、排出空間内の錠剤を排出空間に面する排出口から排出させて取り出すことができる。
【００１１】
このように、排出キャップを容器軸に沿って移動させて１錠分の排出空間を設ける構造であり、その排出空間に２錠以上が進入することがないので、錠剤を１錠ずつ確実に排出することができる。しかも、錠剤容器を逆さに傾けることで、容器本体の外に位置する前記排出空間に錠剤を進入させることができるので、従来のようにバネ等を使った押し上げが不要となり、構造が簡単になるという利点がある。そして、収容される錠剤にバネ等の押圧力による負荷がかからない構造となるので、その負荷を原因とする錠剤の破損を抑制することができ、錠剤の品質を確保することが可能となる。
【００１２】
また、本発明の錠剤容器では、支柱の開口部側の先端部は、柔軟樹脂からなり、排出空間内に突出していることが好ましい。
【００１３】
この場合には、排出キャップを開けて錠剤を取り出す際に、錠剤容器を逆さにして排出空間に進入した１錠の錠剤の孔部に支柱の先端部が係止した状態となることから、その排出空間に位置する錠剤が排出口から容易に落下するのを抑えることができる。そして、支柱の先端部が例えばエラストマーなどの柔軟樹脂で形成されていることから、前述のように錠剤容器を振り下ろすことで、排出口から排出される錠剤の振出し荷重によって柔軟樹脂からなる支柱の先端部が弾性変形し、前記先端部の排出空間内に突出している部分が潰れ、その錠剤の排出通路が確保されて排出されることになる。つまり、排出キャップを開けて容器本体を逆さに傾けただけでは錠剤が排出口から落下しない構成とすることができる。
また、排出キャップの閉蓋時には、排出空間内に突出する先端部を排出キャップに当接させ、容器本体の径方向の外側に膨出させることも可能であり、この場合、容器本体内に収容される錠剤の孔部に先端部を密着させることができる。そのため、錠剤容器が未使用の状態、すなわち支柱の先端部まで錠剤が収容されている状態において、錠剤が容器本体内で移動し難くなり、破損を抑制することができる。
【００１４】
また、本発明の錠剤容器では、支柱は、外周面に凹凸が形成されていることが好ましい。
【００１５】
この場合、支柱の外周面に形成される凹凸が錠剤の孔部に接する抵抗部となることから、容器本体内の錠剤が容器軸に沿う移動が抑制される利点があり、これにより錠剤の損傷を防ぐことができる。
【００１６】
また、本発明の錠剤容器では、容器本体には、排出キャップによって容器本体の開口部を開けた状態で、排出空間を挟んで排出口と対向する位置に、排出空間内に進入した錠剤を排出口から押し出す押出し杆が設けられていてもよい。
【００１７】
この場合、排出空間内に進入した錠剤を、押出し杆を手動により、或いは重力等を利用して排出口側に向けて押し出すことで、錠剤の排出方向への移動を補助することができ、錠剤を１錠ずつ確実に排出することができる。そして、排出空間内で錠剤が引っ掛かって排出がし難い場合であっても、容易に錠剤を取り出すことが可能となる。
【００１８】
また、本発明の錠剤容器では、押出し杆は、一端が容器本体の底部に固定された連結片の他端に設けられ、一端を支点として振り子状に揺動することが好ましい。
【００１９】
本発明では、錠剤の取り出し時に、排出口を下に向けた状態で錠剤容器を振ると、押出し杆が連結片の底部側の一端を支点にして容器本体内に収容されている錠剤側に向けて倒れ、そのときの押し出し力によって錠剤を排出口へ向けて押し出すことができる。この場合、押出し杆を指で押すような操作が不要となり、重力を利用した簡単な構造とすることができる。
【００２０】
また、本発明の錠剤容器では、排出キャップには、押出し杆の押出し方向と反対側の側壁部分に、押出し杵を押出し方向に向けて押し込むための開口穴が設けられていることが好ましい。
【００２１】
この場合、開口穴から指を入れて押出し杆を錠剤の排出方向へ向けて押し込むことで、錠剤を排出口から確実に排出することができる。
【発明の効果】
【００２２】
本発明に係る錠剤容器によれば、排出キャップを開けるだけの簡単な構造で錠剤を１錠ずつ確実に排出することができる。しかも、収容される錠剤に対する負荷を抑えることが可能となるので、錠剤の損傷を抑えることができる。
【図面の簡単な説明】
【００２３】
【図１】本発明の第１の実施の形態による錠剤容器を示す斜視図である。
【図２】図１に示す錠剤容器の閉蓋時の縦断面図である。
【図３】図１に示す錠剤容器の開蓋時の縦断面図である。
【図４】錠剤容器の各部の寸法を示す縦断面図である。
【図５】排出時の縦断面図であって、排出空間に錠剤が進入した状態を示す図である。
【図６】図５に続く排出時を示す縦断面図であって、排出口から錠剤が排出される状態を示す図である。
【図７】第２の実施の形態による錠剤容器の閉蓋時の縦断面図である。
【図８】図７に示す錠剤容器の排出時の縦断面図であって、排出空間に錠剤が進入した状態を示す図である。
【図９】図８に続く排出時の示す縦断面図であって、押出し杆によって錠剤が押し出される状態を示す図である。
【図１０】第３の実施の形態による錠剤容器の閉蓋時の縦断面図である。
【図１１】図１０に示す錠剤容器の排出時の縦断面図であって、排出空間に錠剤が進入した状態を示す図である。
【図１２】図１１に続く排出時の示す縦断面図であって、押出し杆によって錠剤が押し出される状態を示す図である。
【図１３】(ａ)〜(ｃ)は、変形例による支柱の先端部を示す図である。
【発明を実施するための形態】
【００２４】
以下、本発明による錠剤容器の実施の形態について、図面を参照して説明する。
【００２５】
（第１の実施の形態）
図１に示すように、本実施の形態の錠剤容器１は、トローチ形状の孔開きの図２に示す錠剤１０を複数収容し、使用に際してこれら錠剤１０を１錠ずつ排出可能とした容器である。
図２及び図３に示すように、錠剤容器１は、有底筒状をなし、容器軸Ｏに沿って複数の錠剤１０を配列させて収容する容器本体２と、容器本体２に容器軸Ｏに沿って移動可能に、且つ容器本体２の開口部２ａを開閉可能に装着され、錠剤１０を排出する排出口３１が形成された排出キャップ３と、容器本体２の底部２ｂから開口部２ａに向けて立設されるとともに、複数の錠剤１０の孔部１０ａに挿通される支柱４と、を備えている。
【００２６】
ここで、容器本体２は前述のように有底筒状に形成され、排出キャップ３は有頂筒状に形成され、排出キャップ３の被着状態において、これら２、３が共通軸と同軸に配置されている。以下、この共通軸を容器軸Ｏといい、容器軸Ｏ方向に沿って排出キャップ３側を上側、容器本体２の底部２ｂ側を下側といい、また容器軸Ｏに直交する方向を径方向といい、容器軸Ｏを中心に周回する方向を周方向という。
【００２７】
容器本体２は、内径寸法が錠剤１０の外径よりも僅かに大径をなし、その底部２ｂには容器軸Ｏ上に沿って支柱４が上方に向けて延在している。容器本体２の上側部分の外周面には、周方向の全体にわたって延在し、径方向の外側に向けて突出する一対の環状凸部２１、２２が互いに上下に間隔をあけて設けられている。ここで、一対の環状凸部のうち、上側を上側環状凸部２１といい、下側を下側環状凸部２２という。
【００２８】
支柱４は、図４に示すように、その外径ｄが錠剤１０の孔部１０ａの内径Ｄよりも僅かに小径で、容器本体２の開口端２ｃよりも下方（底部２ｂ側）に位置する長さ寸法に設定されている。支柱４の外周面には、全長にわたって凹凸が形成されている。この凹凸は、上下方向の全体にわたって凹凸が設けられ、例えばねじ状（螺旋状）に形成されていてもよい。
【００２９】
そして、支柱４の開口部２ａ側の先端４ａには、例えばエラストマー製などの柔軟樹脂からなり、後述する排出空間Ｒ内に突出する弾性突出部材５（先端部）が設けられている。この弾性突出部材５は、基端が支柱４の先端４ａに固定され、上方に向かうに従い漸次滑らかに先細りとなる略ドーム形状をなしている。なお、弾性突出部材５の内部は空洞になっており、詳しくは後述するが、錠剤１０の取り出し時に錠剤容器１を振り下ろす操作を行う際に、錠剤１０に生じる振出し荷重によって弾性的に変形する。
【００３０】
排出キャップ３は、図２及び図３に示すように、天壁部３２と、天壁部３２の外周縁に連設された周壁部３３と、を備えている。周壁部３３は、内径が容器本体２に形成される上側環状凸部２１の外径とほぼ同径であり、下端が径方向の内側に向けて突出した下端係止部３３ａが全周にわたって設けられている。排出キャップ３は、下端係止部３３ａが容器本体２の上側環状凸部２１と下側環状凸部２２との間の範囲で上下方向に摺動可能に装着されている。このときの排出キャップ３の摺動距離は図４に示す開口幅Ｃに相当する。この開口幅Ｃは、排出空間Ｒ内に位置する符号１０Ａの錠剤の厚みＢと、この厚みＢと容器本体２の開口端２ｃとの間の任意の隙間Ｓとから決められている。
【００３１】
つまり、排出キャップ３の上向きの移動は下端係止部３３ａが上側環状凸部２１の下部に当接することで規制され、このとき排出キャップ３によって容器本体２の開口部２ａを開けた状態（図３に示す開蓋位置Ｐ１）となる。そして、この開蓋位置Ｐ１において、容器本体２の開口部２ａとの間に１錠分の錠剤１０の大きさに相当する排出空間Ｒが形成されている。つまり、排出空間Ｒには、１錠のみが進入できるようになっている。なお、周壁部３３には、排出空間Ｒに面して前記排出口３１が位置している。
【００３２】
一方、排出キャップ３の下向きの移動は下端係止部３３ａが下側環状凸部２２の上部に当接することで規制され、このとき排出キャップ３によって容器本体２の開口部２ａを閉じた状態（図２に示す閉蓋位置Ｐ２）となる。なお、排出キャップ３の天壁部３２の裏面には、容器軸Ｏの位置に凹部３２ａが形成されている。そのため、排出キャップ３が閉蓋位置Ｐ２であるとき、前記凹部３２に弾性突出部材５の突出端５ａが嵌合するようになっている。
【００３３】
図４に示すように、弾性突出部材５は、支柱４の先端４ａから突出端５ａまでの長さ寸法Ａが、前記隙間Ｓよりも大きく、且つ錠剤１０の厚みＢの１／２の寸法よりも小さくなるように設定されている。すなわち、Ｓ＜Ａ＜（Ｂ／２）となる。
【００３４】
また、弾性突出部材５の突出端５ａの位置は、排出キャップ３の天壁部３２からの弾性突出部材５の突出端５ａまでの距離Ｅで表すことができる。この距離Ｅは、錠剤１０の厚みＢの１／２の寸法よりも大きく、錠剤１０の厚みＢよりも小さくなるように設定されている。すなわち、（Ｂ／２）＜Ｅ＜Ｂとなる。
【００３５】
以上説明した本実施の形態による錠剤容器１によれば、以下の作用効果を奏する。
すなわち、図３に示すように、本実施の形態の錠剤容器１では、錠剤１０を取り出す際に、排出キャップ３を開けると、排出キャップ３内に容器本体２の開口部２ａとの間に錠剤１０の排出空間Ｒが形成される。図５に示すように、錠剤容器１を排出空間Ｒが下向きになるように傾けることで容器本体２内に収容されている１錠の錠剤１０が前記排出空間Ｒに進入することとなり、例えば錠剤容器１を振り出すことにより、図６に示すように、排出空間Ｒ内の錠剤１０を排出キャップ３に設けられる排出口３１から排出させて取り出すことができる。
【００３６】
このように、排出キャップ３を容器軸Ｏに沿って上側に向けて移動させて１錠分の排出空間Ｒを設ける構造であり、その排出空間Ｒに２錠以上が進入することがないので、錠剤１０を１錠ずつ確実に排出することができる。しかも、錠剤容器１を逆さに傾けることで、容器本体２の外に位置する前記排出空間Ｒに錠剤１０を進入させることができるので、従来のようにバネ等を使った押し上げが不要となり、構造が簡単になるという利点がある。そして、収容される錠剤１０にバネ等の押圧力による負荷がかからない構造となるので、その負荷を原因とする錠剤１０の破損を抑制することができ、錠剤１０の品質を確保することが可能となる。
【００３７】
また、排出キャップ３を開けて錠剤１０を取り出す際に、錠剤容器１を逆さにして排出空間Ｒに進入した１錠の錠剤１０の孔部１０ａに支柱４の弾性突出部材５が係止した状態となることから、その排出空間Ｒに位置する錠剤１０が排出口３１から容易に落下するのを抑えることができる。そして、支柱４の弾性突出部材５が例えばエラストマーなどの柔軟樹脂で形成されていることから、前述のように錠剤容器１を振り下ろすことで、排出口３１から排出される錠剤１０の振出し荷重によって柔軟樹脂からなる支柱４の弾性突出部材５が弾性変形し、前記弾性突出部材５の排出空間Ｒ内に突出している部分が潰れ、その錠剤１０の排出通路が確保されて排出されることになる。つまり、排出キャップ３を開けて容器本体２を逆さに傾けただけでは錠剤１０が排出口３１から落下しない構成とすることができる。
【００３８】
また、排出キャップ３の閉蓋時には、排出空間Ｒ内に突出する弾性突出部材５を排出キャップ３に当接させ、容器本体２の径方向の外側に膨出させることも可能であり、この場合、容器本体２内に収容される錠剤１０の孔部１０ａに弾性突出部材５を密着させることができる。そのため、錠剤容器１が未使用の状態、すなわち支柱４の先端部まで錠剤１０が収容されている状態において、錠剤１０が容器本体２内で移動し難くなり、破損を抑制することができる。
【００３９】
また、本実施の形態では、支柱４の外周面に凹凸が形成されているので、その凹凸が錠剤１０の孔部１０ａに接する抵抗部となることから、容器本体２内の錠剤１０が容器軸Ｏに沿う移動が抑制される利点があり、これにより錠剤１０の損傷を防ぐことができる。
【００４０】
上述のように本実施の形態による錠剤容器１では、排出キャップ３を開けるだけの簡単な構造で錠剤１０を１錠ずつ確実に排出することができる。
しかも、収容される錠剤１０への負荷を抑えることが可能となるので、錠剤１０の損傷を抑えることができるという効果を奏する。
【００４１】
次に、本発明による錠剤容器の他の実施の形態について、添付図面に基づいて説明するが、上述の第１の実施の形態と同一又は同様な部材、部分には同一の符号を用いて説明を省略し、第１の実施の形態と異なる構成について説明する。
【００４２】
（第２の実施の形態）
図７に示すように、第２の実施の形態による錠剤容器１Ａは、排出キャップ３の排出口３１から排出される錠剤１０の排出を補助する機能を上述した第１の実施の形態の錠剤容器１（図２参照）に備えた構成となっている。
すなわち、錠剤容器１Ａの容器本体２Ａには、排出キャップ３Ａによって容器本体２Ａの開口部２ａを開けた状態（図８に示す開位置Ｐ１）で、排出キャップ３Ａの排出空間Ｒを挟んで排出口３１と対向する位置に、排出空間Ｒ内に進入した錠剤１０を排出口３１から押し出すための押出し杆６が設けられた構成となっている。ここで、図８及び図９において、錠剤容器１Ａを逆さに傾けたときに排出空間Ｒに進入した錠剤を符号１０Ａとする。
【００４３】
容器本体２Ａは、断面形状が円形又は扁平な楕円をなし、支柱４が容器軸Ｏからずれた位置に配置され、支柱４に沿って上下方向に配列される複数の錠剤１０の収容部２３と、この収容部２３に面する空洞部２４と、を備えている。容器本体２Ａの外周面には、第１の実施の形態と同様に上側環状凸部２１と下側環状凸部２２とが上下に間隔をあけて設けられている。
【００４４】
押出し杆６は、円柱状の部材からなり、容器本体２Ａの開口縁２ｃよりも上側の位置であって、排出キャップ３Ａの開位置Ｐ１（図８参照）で形成される排出空間Ｒと同じ高さの位置に設けられ、下端６２ａが容器本体２Ａの底部２ｂに設けられた支持台６１に固定された連結片６２の上端６２ｂに設けられている。押出し杆６の一端６ａは、排出空間Ｒに進入される錠剤１０Ａを押圧して排出口３１側へ向けて押し出す端部となる。
【００４５】
支持台６１は、容器本体２Ａの底部２ｂの略全体にわたる範囲に載置されるとともに、支柱４を貫通させて設けられている。連結片６２は、押出し杆６を下方から支持することが可能な強度を有する、長尺な薄板部材である。連結片６２は、下端６２ａが支持台６１の外周側に固定され、上端６２ｂが押出し杆６の一端６ａと他端６ｂの間の略中間部分に固定されている。そして、押出し杆６の他端６ｂ寄りの部分が容器本体２Ａの開口端２ｃ上に位置している。
【００４６】
排出キャップ３Ａは、図８に示すように、天壁部３２の一部が上方に向けて膨出した膨出部３２ｃが形成されている。この膨出部３２ｃは、容器１Ａが起立状態となる姿勢で、膨出部３２ｃの裏面側に形成される空間３２ｄに押出し杆６が収容されている。
また、排出キャップ３Ａには、押出し杆６の押出し方向と反対側の周壁部３３の側壁部分に、押出し杵６を押出し方向に向けて手動で押し込むための開口穴３３ｂが設けられている。
【００４７】
図８及び図９に示すように、本第２の実施の形態では、排出空間Ｒ内に進入した錠剤１０Ａを、押出し杆６を手動により排出口３１側に向けて押し出すことで、錠剤１０Ａの排出方向への移動を補助することができ、錠剤１０Ａを１錠ずつ確実に排出することができる。そして、排出空間Ｒ内で錠剤１０Ａが引っ掛かって排出がし難い場合であっても、容易に錠剤１０を取り出すことが可能となる。
【００４８】
また、排出キャップ３の開口穴３３ｂから指を入れて押出し杆６を錠剤１０Ａの排出方向へ向けて押し込むことで、錠剤１０Ａを排出口３１から確実に排出することができる。
【００４９】
（第３の実施の形態）
図１０に示す第３の実施の形態による錠剤容器１Ｂは、第２の実施の形態の錠剤容器１Ａ（図７参照）において、図１１に示すように、開蓋し容器本体２を逆さに傾けたときに排出空間Ｒに位置する錠剤１０Ａから２番目（最も開口部２ａ側）に位置する錠剤１０Ｂを保持する押さえばね７を備えたものである。
【００５０】
押さえばね７は、連結片６２の支持台６１寄りの位置から分岐され、上部の押さえ部７ａで最も開口部２ａ寄りに位置する錠剤１０Ｂの外周面を横から（径方向から）弱い力で当接している。さらに、押さえばね７は、押出し杆６が連結片６２とともに押し出されると、図１２に示すように、連結片６２が支持台６１側の一端６２ａを支点にして収容される錠剤１０に近接する方向（矢印Ｆ方向）に傾くため、この連結片６２によって押さえばね７がさらに錠剤１０Ｂ側に押されることになる。つまり、押さえ部７ａによる開口部２ａ側に位置する錠剤１０Ｂへの押圧力が大きくなって、錠剤１０Ｂがその位置で保持されるように構成されている。
【００５１】
この場合、錠剤１０Ａを排出する際、錠剤容器１Ｂを排出口３１を下にして傾けて排出空間Ｒ内の錠剤１０Ａを排出して取り出したときでも、収容部２３に収容されている最も開口部２ａ側に配置されている錠剤１０Ｂが押さえばね７によって横から押さえられているので、空になった排出空間Ｒに錠剤１０Ｂが落下するを防ぐことができる。そのため、誤って２つ目の錠剤を排出させてしまうのを防止することができる。
【００５２】
なお、押さえばね７は、錠剤１０Ｂに対して当接していなくてもよく、押出し杆６を排出方向に押し込むことで最も開口部２ａ寄りに位置する錠剤１０Ｂの外周面を横から当接する構成であってもかまわない。
また、本実施の形態では、例えば容器本体２Ａを透明とすることで、容器本体２Ａを逆さにしても空になった排出空間Ｒに次の錠剤１０が落下しないことを視覚的に認識できると更に良い。
【００５３】
以上、本発明に係る錠剤容器の実施の形態について説明したが、本発明は上記した実施の形態に限定されるものではなく、その趣旨を逸脱しない範囲で適宜変更可能である。
【００５４】
例えば、本実施の形態では、弾性突出部材として上方に向かうに従い漸次滑らかに先細りとなる略ドーム形状をなすものを採用しているが、この形状に限定されることはなく、他の形状とすることも可能である。例えば、図１３（ａ）に示す弾性突出部材５Ａのように扁平状のものや、図１３（ｂ）に示す弾性突出部材５Ｂのように先端に向かうに従い漸次扁平状となるものや、図１３（ｃ）に示す弾性突出部材５Ｃのように、断面円形の中空状のものなどを用いることができる。要は、排出空間Ｒに位置する錠剤１０の振出し荷重で弾性変形して排出口３１から排出させることができる形状であれば良いのである。
【００５５】
また、本実施の形態では弾性突出部材５が支柱４の先端に設けられ、排出空間Ｒ内に突出した構成としているが、これに限定されることはない。つまり、排出空間Ｒ内に支柱４の先端（弾性突出部材５）が突出しない構成であってもよいし、弾性突出部材５を省略することも可能である。
【００５６】
さらに、本第２及び第３の実施の形態では、排出空間Ｒ内に進入した錠剤１０Ａを、押出し杆６を手動により排出口３１側に向けて押し出すことで、錠剤１０の排出方向への移動を補助する構成としているが、これに限定されることはなく、重力を利用して押出し杆６を押し出すようにしてもよい。具体的に押出し杆６を重力により押し込む場合には、押出し杆６が連結片６２の下端６２ａを支点として振り子状に揺動する構成となっているので、錠剤１０Ａの取り出し時に、排出口３１を下に向けた状態で錠剤容器１を振り下ろすと、押出し杆６が連結片６２の下端６２ａを支点にして錠剤１０側を排出方向に押し出す方向に倒れ、そのときの押し出し力によって錠剤１０Ａを排出口３１へ向けて排出することができる。この場合、開口穴３３ｂを使用して押出し杆６を指で押すような操作が不要となり、重力を利用した簡単な構造とすることができる。そのため、排出キャップ３に形成される開口穴３３ｂを省略することも可能である。
【００５７】
その他、本発明の趣旨を逸脱しない範囲で、上記した実施の形態における構成要素を周知の構成要素に置き換えることは適宜可能である。
【符号の説明】
【００５８】
１、１Ａ、１Ｂ  錠剤容器
２、２Ａ  容器本体
２ａ  開口部
２ｂ  底部
３、３Ａ  排出キャップ
４  支柱
４ａ  先端
５  弾性突出部材（先端部）
５ａ  突出端
６  押出し杆
７  押さえばね
１０、１０Ａ、１０Ｂ  錠剤
１０ａ  孔部
３１  排出口
３３  周壁部
３３ｂ  開口穴
６２  連結片
Ｏ  容器軸
Ｐ１  開蓋位置
Ｐ２  閉蓋位置
Ｒ  排出空間
Ｙ  上下方向
【図１】
2014210590.tif 000003
【図２】
2014210590.tif 000004
【図３】
2014210590.tif 000005
【図４】
2014210590.tif 000006
【図５】
2014210590.tif 000007
【図６】
2014210590.tif 000008
【図７】
2014210590.tif 000009
【図８】
2014210590.tif 000010
【図９】
2014210590.tif 000011
【図１０】
2014210590.tif 000012
【図１１】
2014210590.tif 000013
【図１２】
2014210590.tif 000014
【図１３】
2014210590.tif 000015